(57)【要約】【課題】人形の頭部にウィッグを極めて容易に装着することができ、複数種類のウィッグを衣服に合わせて交換する遊びに適した人形用ウィッグの装着構造を提供する。【解決手段】人形用頭部１０の毛髪形成部分に沿って一段低く嵌合凹部１１を形成する。嵌合凹部１１に複数個の磁石１２を設ける。毛髪２２をウィッグベース２１に縫い込んで人形用ウィッグ２０を設ける。ウィッグベース２１の内部に磁性体の固定体２３を突設する。固定体２３は嵌合凹部１１の磁石１２に対応する位置に配設される。固定体２３をウィッグベース２１内に突出した毛髪２２よりも高く突出するように設ける。固定体２３をウィッグベース２１の左右側面を貫通する一対のカシメにて形成する。【選択図】図２
0003178892.tif 000002
【実用新案登録請求の範囲】
【請求項１】
人形用頭部の毛髪形成部分に沿って一段低く形成された嵌合凹部と、予め合成樹脂製の毛髪がウィッグベースに縫い込まれ嵌合凹部に嵌合せしめる人形用ウィッグとを備え、該人形用ウィッグを人形用頭部の嵌合凹部に着脱自在に固定するように構成された人形用ウィッグの装着構造において、嵌合凹部に磁石を設けると共に、該磁石に磁着せしめる固定体をウィッグベースの内部に突設し、嵌合凹部内にウィッグベースを嵌合したときに、ウィッグベースの固定体が嵌合凹部の磁石に磁着されて人形用ウィッグを固定するように構成したことを特徴とする人形用ウィッグの装着構造。
【請求項２】
前記磁石は、前記人形用頭部の前記嵌合凹部に複数個配設され、前記ウィッグベース内の前記固定体は、各磁石に対応する位置に配設されると共に、前記ウィッグベース内に突出した前記毛髪よりも高く突出するように構成された請求項１記載の人形用ウィッグの装着構造。
【請求項３】
前記固定体は、前記ウィッグベースの左右側面を貫通する一対のカシメにて形成された請求項１又は２記載の人形用ウィッグの装着構造。
【請求項４】
前記磁石は、前記人形用頭部の前記嵌合凹部表面に表出するように前記人形用頭部に埋設された請求項１記載の人形用ウィッグの装着構造。
【考案の詳細な説明】
【技術分野】
【０００１】
本考案は人形用ウィッグの装着構造に関し、特に、ウィッグベースに合成繊維製の毛髪が縫い込まれたウィッグの装着を容易にすることができる人形用ウィッグの装着構造に関するものである。
【背景技術】
【０００２】
従来、人形用ウィッグは、極細の塩化ビニリデン系樹脂の繊維を毛髪に見立てて使用し、これを人形の頭部を覆う半球形状のウィッグベースに縫い込んで構成されている。例えば繊維の束の中央がウィッグベースの内側になるようにして植毛するものである。そのため、ウィッグベースの内側には、繊維の束の中央部分が縫い目に沿って突出した状態になっている。
【０００３】
従来の人形用ウィッグは、人形用の頭部に両面粘着テープ等で接着していた。そのため、頭部に接着したウィッグを外すときに、ウィッグの毛髪が両面粘着テープに接着したまま残り、ウィッグから毛髪が抜けることがある。特許文献１に記載されている人形用ウィッグは、人形用ウィッグを両面粘着テープで人形の頭部に取り付けた後、人形用ウィッグを取外す際に繊維が抜けるのを防止するように構成したものである。すなわち、ウィッグベースの内側に内側層を接合し、この内側層を介してウィッグベース内の繊維の束と人形頭部の両面粘着テープとを隔てることで、ウィッグベースに植毛した繊維が抜けないようにしたものである。
【０００４】
一方、特許文献２に記載の人形用ウィッグは、両面粘着テープ等を使用しないでウィッグを頭部に固定する取付け構造を提案したものである。すなわち、頭部の毛髪部周囲に形成した嵌着溝と、毛髪部分に突設した係止突子とを設け、ウィッグに設けた嵌着縁を嵌着溝に差し込むと共に、係止突子をウィッグに貫通させてウィッグを頭部に固定する取付け構造である。
【先行技術文献】
【特許文献】
【０００５】
【特許文献１】実用新案登録第３１１９３１６号公報
【特許文献２】実公昭３４-１５６０６号公報
【考案の概要】
【考案が解決しようとする課題】
【０００６】
ところが、特許文献１のように、ウィッグベースの内側に内側層を接着する構成では、この内側層をウィッグと別体で用意する必要があり、ウィッグ自体のコストを高める不都合がある。しかも、ウィッグベースに内側層を接着するために、多量の接着剤も必要になり、更にコスト高となる上、接着剤から発生する臭いの問題も生じる。
【０００７】
一方、特許文献２に記載の人形用ウィッグによると、ウィッグベース内に繊維の束が突出した状態でも確実にウィッグを固定することができる。しかしながら、ウィッグに設けた嵌着縁を頭部の嵌着溝に差し込む作業や、頭部の係止突子をウィッグに貫通させてウィッグを固定する作業などは簡単な作業ではない。そのため、ウィッグを固定する際に、ウィッグベースに植毛した毛髪を乱してしまう虞があった。しかも、頭部に形成した係止突子をウィッグに貫通させる作業は危険が伴うため、極めて慎重に作業する必要もある。このような取付け構造では、複数種類のウィッグを衣服に合わせて交換するなどといった遊びには適しておらず、人形用ウィッグを本来の交換可能なウィッグとして使用することが困難であった。
【０００８】
そこで本考案は、上述の課題を解消すべく案出されたもので、人形の頭部にウィッグを極めて容易に装着することができ、複数種類のウィッグを衣服に合わせて交換するなどといった遊びに適した人形用ウィッグの装着構造の提供を目的とするものである。
【課題を解決するための手段】
【０００９】
上述の目的を達成すべく本考案の第１の手段は、人形用頭部１０の毛髪形成部分に沿って一段低く形成された嵌合凹部１１と、予め合成樹脂製の毛髪２２がウィッグベース２１に縫い込まれ嵌合凹部１１に嵌合せしめる人形用ウィッグ２０とを備え、該人形用ウィッグ２０を人形用頭部１０の嵌合凹部１１に着脱自在に固定するように構成された人形用ウィッグ２０の装着構造において、嵌合凹部１１に磁石１２を設けると共に、該磁石１２に磁着せしめる固定体２３をウィッグベース２１の内部に突設し、嵌合凹部１１内にウィッグベース２１を嵌合したときに、ウィッグベース２１の固定体２３が嵌合凹部１１の磁石１２に磁着されて人形用ウィッグ２０を固定するように構成したことにある。
【００１０】
第２の手段において、前記固定体２３は、前記ウィッグベース２１内に突出した前記毛髪２２よりも高く突出するように構成されたものである。
【００１１】
第３の手段において、前記固定体２３は、前記ウィッグベース２１の左右側面を貫通する一対のカシメにて形成されている。
【００１２】
第４の手段の前記磁石１２は、前記人形用頭部１０の前記嵌合凹部１１表面に表出するように前記人形用頭部１０に埋設されたものである。
【考案の効果】
【００１３】
本考案の請求項１のごとく、嵌合凹部１１に磁石１２を設けると共に、該磁石１２に磁着せしめる固定体２３をウィッグベース２１の内部に突設し、嵌合凹部１１内にウィッグベース２１を嵌合したときに、ウィッグベース２１の固定体２３が嵌合凹部１１の磁石１２に磁着されて人形用ウィッグ２０を固定するように構成したことにより、人形の頭部にウィッグを極めて容易に装着することができる。したがって、複数種類のウィッグを衣服に合わせて交換することも容易になるものである。
【００１４】
請求項２のように、固定体２３を、ウィッグベース２１内に突出した毛髪２２よりも高く突出するように構成することで、ウィッグベース２１内に突出した毛髪２２に妨げられずに磁石１２に磁着させることができる。しかも、固定体２３が突出していることで、ピンポイントで磁石１２に磁着するため、ウィッグベース２１のような曲面を有する部材でも正確な位置に強力に磁着させることが可能になった。この結果、人形用ウィッグ２０を嵌合凹部１１のおおよその位置に合わせるだけでも、ウィッグベース２１内の固定体２３が磁石１２に引き付けられて正確な位置に固定されるものである。また、曲面を有する人形用頭部１０に埋設した磁石１２でも、突出した固定体２３により、強固に磁着させることができる。
【００１５】
請求項３のごとく、固定体２３として、ウィッグベース２１の左右側面を貫通する一対のカシメにて形成することで、極めて強固で、しかもウィッグベース２１の内部で適当な高さに突出させることに適している。特に、人形用ウィッグ２０を着脱していると、この固定体２３に多くの負荷がかかるものになる。そのため、固定体２３をウィッグベース２１にしっかり固定していないと、この固定体２３がウィッグベース２１から脱落する虞がある。そこで固定体２３をカシメにて形成することで、このような脱落を防止することができるものである。
【００１６】
請求項４のように、人形用頭部１０の嵌合凹部１１表面に表出するように、磁石１２を人形用頭部１０に埋設することで、この嵌合凹部１１に嵌合するウィッグベース２１の位置合せ及び固定を容易にするものである。
【図面の簡単な説明】
【００１７】
【図１】（イ）、（ロ）は、本考案の装着状態を示す概略側面図である。
【図２】本考案の装着状態を示す概略分解斜視図である。
【図３】ウィッグベースを嵌合凹部に嵌合する状態を示す要部断面図である。
【図４】本考案の人形用ウィッグの一実施例を示す正面図である。
【図５】本考案の人形用ウィッグの他の実施例を示す正面図である。
【考案を実施するための形態】
【００１８】
このように本考案によると、人形の頭部にウィッグを極めて容易に装着することができ、複数種類のウィッグを衣服に合わせて交換するなどといった遊びに適した人形用ウィッグの装着構造を提供するといった目的を実現した。
【００１９】
以下、本考案の一実施例を説明する。本考案は人形用頭部１０に人形用ウィッグ２０を着脱自在に固定する装着構造である（図１（イ）、（ロ）参照）。
【００２０】
本考案で使用する人形用頭部１０は、軟質塩化ビニル樹脂で形成されるもので、毛髪形成部分に沿って一段低く形成された嵌合凹部１１を備えたものである（図２参照）。この嵌合凹部１１には、磁石１２を設けている。図示の磁石１２は、嵌合凹部１１の表面に表出するように、収納部１１Ａに埋設されたものである。この磁石１２は、特に、ネオジム磁石を使用すると強力な固定力が得られる。磁石１２は、この他、帯状のラバーマグネットなどを利用するなど、磁石１２の種類や形状、サイズ等は任意に変更することが可能である。
【００２１】
一方、人形用ウィッグ２０は、軟質塩化ビニル樹脂製のウィッグベース２１に、予め合成樹脂製の毛髪２２が縫い込まれたものである（図４、図５参照）。人形用ウィッグ２０の毛髪２２の材質は、例えばポリ塩化ビニリデン系、ポリ塩化ビニル系、ポリアミド系、ポリアクリロニトリル系、ポリエステル系、ポリプロピレン系、ポリエチレン系樹脂などの合繊繊維を用いることができる。
【００２２】
ウィッグベース２１は、厚さ約１．５mm程度であり、このウィッグベース２１に固定体２３を固定している（図２参照）。この固定体２３は、ウィッグベース２１の内部に突設されており、人形用ウィッグ２０を人形用頭部１０の嵌合凹部１１に嵌合すると、嵌合凹部１１に設けた磁石１２に固定体２３が磁着されるように設けている（図３参照）。図示の固定体２３は、左右に一対配置しているが、嵌合凹部１１の磁石１２に対応する位置であれば、複数の固定体２３をウィッグベース２１の任意の位置に配設することができる。
【００２３】
また、固定体２３は、ウィッグベース２１内に突出した毛髪２２よりも高く突出するように設けている（図４参照）。これは、固定体２３が磁石１２に磁着する際に、毛髪２２に妨げられずに済む。しかも、固定体２３がウィッグベース２１内で突出していることで、磁石１２の位置に固定体２３が引き寄せられ易くなるので、磁石１２の磁力で半球状のウィッグベース２１の位置を正確な位置に補正することが可能になる。
【００２４】
この固定体２３は、ウィッグベース２１の左右側面を貫通する一対のカシメにて形成することができる（図２参照）。カシメは、頭（メス）と足（オス）の一対で、布や革を止める金具である。本考案では、このカシメを、軟質塩化ビニル樹脂製のウィッグベース２１に貫通させて装着するものである。そこで、カシメの頭（メス）をウィッグベース２１の内側に配し、この頭（メス）が磁石１２に磁着するように設けることが可能である。
【００２５】
本考案は、例えば図４、図５に示すごとき、任意の人形用ウィッグ２０を選択して人形用頭部１０に装着して遊ぶものである。このとき、嵌合凹部１１内にウィッグベース２１を嵌合するだけで、ウィッグベース２１の固定体２３が嵌合凹部１１の磁石１２に磁着され、人形用ウィッグ２０が正確な位置に固定されるものである（図１（イ）、（ロ）参照）。
【００２６】
尚、本考案の構成は図示例に限定されるものでなく、人形用頭部１０や人形用ウィッグ２０の形状や構成は、図示例に限定されるものではなく、各材質も任意の選択及び組合せが可能であり、本考案の要旨を変更しない範囲で任意に変更することができる。
【符号の説明】
【００２７】
１０  人形用頭部
１１  嵌合凹部
１１Ａ  収納部
１２  磁石
２０  人形用ウィッグ
２１  ウィッグベース
２２  毛髪
２３  固定体
【図１】
0003178892.tif 000003
【図２】
0003178892.tif 000004
【図３】
0003178892.tif 000005
【図４】
0003178892.tif 000006
【図５】
0003178892.tif 000007